(57)【要約】【課題】打球感の向上を効果的に実現することができるゴルフクラブヘッドおよびゴルフクラブを提供する。【解決手段】フェース面２Ａと、フェース面２Ａの裏側に形成されている凹部３とを有する本体部２と、凹部３内に配置されており、第１部材４ａと第２部材４ｂとを含み、本体部２と比べて比重が小さい中間部材４と、中間部材４から見て本体部２の反対側に配置されており、中間部材４と比べて比重が大きい高比重部材５とを備える。【選択図】図１
2015188615.tif 000002
【特許請求の範囲】
【請求項１】
フェース面と、前記フェース面の裏側に形成されている凹部とを有する本体部と、
前記凹部内に配置されており、第１部材と第２部材とを含み、前記本体部と比べて比重が小さい中間部材と、
前記中間部材から見て前記本体部の反対側に配置されており、前記中間部材と比べて比重が大きい高比重部材とを備える、ゴルフクラブヘッド。
【請求項２】
前記第１部材は、前記本体部よりも比重が小さく、
前記第２部材は、前記第１部材よりも比重が小さい、請求項１に記載のゴルフクラブヘッド。
【請求項３】
前記第１部材は金属材料により構成されており、前記第２部材は樹脂材料により構成されている、請求項２に記載のゴルフクラブヘッド。
【請求項４】
前記凹部は、前記フェース面側から見て前記フェース面の打撃位置の少なくとも一部と重なる領域に形成されている、請求項１〜請求項３のいずれか１項に記載のゴルフクラブヘッド。
【請求項５】
前記中間部材において、前記第１部材は前記本体部と接合されており、前記第２部材は前記高比重部材と接合されている、請求項１〜請求項４のいずれか１項に記載のゴルフクラブヘッド。
【請求項６】
前記本体部はシャフト側の端部に位置するヒール部と、前記フェース面に対して前記ヒール部と反対側の端部に位置するトゥ部とを含み、
前記ヒール部から前記トゥ部に向かう方向において、前記第１部材の中央部の厚みが前記第１部材における前記中央部以外の部分の厚みより相対的に厚い、請求項１〜請求項５のいずれか１項に記載のゴルフクラブヘッド。
【請求項７】
前記第１部材の前記中央部が前記フェース面の打撃位置の少なくとも一部と重なるように設けられている、請求項６に記載のゴルフクラブヘッド。
【請求項８】
前記第１部材と前記第２部材との間、および前記中間部材と前記高比重部材の間は、それぞれ接着剤を介して接合されている、請求項１〜請求項７のいずれか１項に記載のゴルフクラブヘッド。
【請求項９】
前記本体部、前記中間部材、および前記高比重部材は、中空部分を有さずに一体として形成されている、請求項１〜請求項８のいずれか１項に記載のゴルフクラブヘッド。
【請求項１０】
請求項１〜請求項９のいずれか１項に記載のゴルフクラブヘッドを備えるゴルフクラブ。
【発明の詳細な説明】
【技術分野】
【０００１】
本発明は、ゴルフクラブヘッドおよびゴルフクラブに関する。
【背景技術】
【０００２】
ゴルフクラブヘッドにおいて、打球部を有するフェース部に対しては様々な構造が採用されている。
【０００３】
たとえば、ゴルフクラブヘッドのフェース部を複数の材料が積層した多層構造とすることが従来から行われている。特開２００７−１６０７０２号公報には、表面層の反発力を活用しつつインパクトの衝撃を和らげることを目的として、３層構造を有する多層金属クラッド板をフェース部材として用いたゴルフクラブヘッドが記載されている。
【先行技術文献】
【特許文献】
【０００４】
【特許文献１】特開２００７−１６０７０２号公報
【発明の概要】
【発明が解決しようとする課題】
【０００５】
しかしながら、特開２００７−１６０７０２号公報に記載のゴルフクラブヘッドを含む従来のゴルフクラブヘッドでは、打球感の向上を効果的に実現することは困難である。
【０００６】
一般的に、ゴルファーは、打球音が大きくかつ打球音が減衰しにくい場合には良好な打球感が得られない。打球感を向上させるためには、打球時のフェース部のたわみを抑制させるためにフェース部を厚く設けることが考えられるが、この場合にはゴルフクラブヘッドの慣性モーメントが小さくなり、打球時にゴルフクラブヘッドの回転が生じやすくなって飛距離が低下するなどの問題が生じ得る。
【０００７】
本発明は上記のような課題を解決するためになされたものである。本発明の主たる目的は、打球感の向上を効果的に実現しつつ、慣性モーメントの低下を抑えることのできるゴルフクラブヘッドおよびゴルフクラブを提供することにある。
【課題を解決するための手段】
【０００８】
本発明に係るゴルフクラブヘッドは、フェース面と、前記フェース面の裏側に形成されている凹部とを有する本体部と、前記凹部内に配置されており、第１部材と第２部材とを含み、前記本体部と比べて比重が小さい中間部材と、前記中間部材から見て前記本体部の反対側に配置されており、前記中間部材と比べて比重が大きい高比重部材とを備える。
【発明の効果】
【０００９】
本発明によれば、打球感の向上を効果的に実現しつつ、慣性モーメントの低下を抑えることのできるゴルフクラブヘッドおよびゴルフクラブを提供することができる。
【図面の簡単な説明】
【００１０】
【図１】本実施の形態に係るゴルフクラブヘッドおよびゴルフクラブを説明するための側面図である。
【図２】図１中の線分ＩＩ−ＩＩにおける断面図である。
【図３】図１中の線分ＩＩＩ−ＩＩＩにおける断面図である。
【図４】本実施の形態に係るゴルフクラブヘッドの変形例を説明するための断面図である。
【図５】本実施の形態に係るゴルフクラブヘッドの他の変形例を説明するための断面図である。
【図６】本実施の形態に係るゴルフクラブヘッドのさらに他の変形例を説明するための断面図である。
【発明を実施するための形態】
【００１１】
以下、図面を参照して、本発明の実施の形態について説明する。なお、以下の図面において同一または相当する部分には同一の参照番号を付しその説明は繰返さない。
【００１２】
図１〜図３を参照して、本実施の形態に係るゴルフクラブおよびゴルフクラブヘッド１について説明する。本実施の形態に係るゴルフクラブは、シャフト２０の一方端にゴルフクラブヘッド１が接続されている。シャフト２０の一方端と反対側に位置する他方端にはグリップ部が形成されている。本実施の形態に係るゴルフクラブヘッド１は、本体部２と、中間部材４と、高比重部材５とを備える。
【００１３】
本体部２は、フェース面２Ａと、フェース面２Ａの裏側に形成されている凹部３とを有する。フェース面２Ａは打球面を構成している。本体部２はフェース面２Ａに打撃位置ＨＰを有している。打撃位置ＨＰは、トゥヒール方向におけるスコアラインセンター上であって、リーティングエッジ（フェース面２Ａのソール部６側に位置する端部）からフェース面に沿って１５ｍｍ上側の場所に位置する点を中心とする半径１０ｍｍの円内と定義される。
【００１４】
フェース面２Ａには、図示しない複数のスコアラインが形成されていてもよい。本体部２を構成する材料は、任意の金属材料とすることができるが、たとえば軟鉄（ＪＩＳ規格に規定されているＳ２５Ｃ）である。
【００１５】
凹部３は、本体部２において、少なくともその一部が、フェース面２Ａ側から見てフェース面２Ａの打撃位置ＨＰと重なる領域に形成されているのが好ましい。フェース面２Ａの裏側から凹部３を平面視したときの凹部３の平面形状は、任意の形状とすることができるが、好ましくはヒール部１ｈ側からトゥ部１ｔに至る方向における幅がソール部６側からトップエッジ部７側に至る方向における幅よりも長い横長形状を有している。また、ソール部６側からトップエッジ部７側に至る方向における凹部３の幅は、ヒール部１ｈ側およびトゥ部１ｔ側に位置する領域よりも中央部１ｃ近傍の領域の方が長く設けられているのが好ましい。
【００１６】
フェース面２Ａの裏側において本体部２の外形に沿って形成されている凹部３の内周面は、底面３Ａと、底面３Ａと交差する方向に延びる側面３Ｂとからなっている。凹部３の構造は、凹部３内に中間部材４を空隙無く固定することができる限りにおいて、任意に選択し得る。たとえば、底面３Ａと側面３Ｂとのなす角度は９０度以上であり、好ましくは鈍角である。
【００１７】
凹部３の底面３Ａは、本体部２を挟んでフェース面２Ａと対向しており、一つの平面として設けられている。凹部３が形成されている領域における本体部２の厚みは、たとえば２．６ｍｍ以上３．４ｍｍ以下である。側面３Ｂは、底面３Ａと交差する複数の面が互いに交差するように設けられていてもよい。
【００１８】
中間部材４は、凹部３内に配置されている。フェース面２Ａの裏側から凹部３を平面視したときの中間部材４の平面形状は、任意の形状とすることができるが、好ましくはヒール部１ｈ側からトゥ部１ｔに至る方向における長さがソール部６側からトップエッジ部７側に至る方向における長さよりも長い横長形状を有している。
【００１９】
中間部材４は、第１部材４ａと第２部材４ｂとを含む。第１部材４ａと第２部材４ｂとは、フェース面２Ａに垂直な方向において積層するように構成されている。言い換えると、第１部材４ａは凹部３の底面３Ａと直接接続されているが、第２部材４ｂは凹部３の底面３Ａと直接接続されていない。
【００２０】
第１部材４ａを構成する材料は、本体部２および後述する高比重部材５よりも比重が小さい任意の金属材料とすればよい。第１部材４ａを構成する材料はたとえば純チタン（Ｔｉ）やチタン合金、あるいはアルミ合金やマグネシウム合金などである。
【００２１】
第２部材４ｂを構成する材料は、本体部２および後述する高比重部材５よりも比重が小さい任意の材料とすればよく、好ましくは第２部材４ｂの比重＜第１部材４ａの比重との関係を満たす材料である。第２部材４ｂを構成する材料としては、たとえばＡＢＳ（Ａｃｒｙｌｏｎｉｔｒｉｌｅ  Ｂｕｔａｄｉｅｎｅ  Ｓｔｙｒｅｎｅ）樹脂やエポキシ樹脂である。第２部材４ｂは、表面をメッキ層（図示しない）で覆われていていてもよい。メッキ層を構成する材料は、たとえばニッケル・クロム（Ｎｉ・Ｃｒ）である。メッキ層を構成する材料は任意の材料とすることができるが、メッキ層に比重の大きい材料を用いる場合には、メッキ層の膜厚がフェース面２Ａに垂直な方向における第２部材４ｂの幅と比べて十分に薄いのが好ましい。また、上記の比重の関係を満たしていれば、第２部材４ｂとしてアルミ合金やマグネシウム合金を使用することも可能である。
【００２２】
フェース面２Ａに近接し、本体部２と接続されている第１部材４ａの比重は、高比重部材５と接続されている第２部材４ｂの比重と比べて大きい方が好ましい。なぜなら、フェース面２Ａの直後には、フェース（本体部２）のたわみを抑制するために金属材料を配置するのが望まれ、その一方で中間部材４全体としては軽量化が望まれる。このため、第２部材４ｂは金属材料よりなる第１部材４ａよりも比重の軽い樹脂などの材料が採用されるのが好ましい。
【００２３】
図２を参照して、第１部材４ａは、フェース面２Ａに垂直な方向での厚みがソール部６側からトップエッジ部７側に至る方向において均一でなくてもよい。第１部材４ａの上記厚みは、ソール部６側においてトップエッジ部７側よりも厚く設けられているのが好ましい。
【００２４】
このようすれば、複合部材として構成されている中間部材４において、第２部材４ｂと比べて比重が大きい第１部材４ａが直方体として構成されている場合と比べて、第１部材４ａの重心を低くすることができる。そのため、ゴルフクラブヘッド１の重心位置を低くすることができる。
【００２５】
図３を参照して、第１部材４ａは、フェース面２Ａに垂直な方向での厚みがヒール部１ｈ側から中央部１ｃを経てトゥ部１ｔ側に至る方向において均一ではないほうが好ましい。具体的には、中央部１ｃでの中間部材４の上記厚みは、ヒール部１ｈやトゥ部１ｔでの厚みと比べて厚く設けられているのが好ましい。
【００２６】
つまり、第１部材４ａは、ヒール部１ｈ側およびトゥ部１ｔ側よりも中央部１ｃ近傍が厚く設けられている。このため、打球時において最もたわみやすい中央部１ｃの変位量を低減することができる。これにより、打球音を小さくすることができ、良好な打感を得ることができる。
【００２７】
この場合、第２部材４ｂのフェース面２Ａに垂直かつトップソール方向での厚みは、打撃位置ＨＰに含まれる範囲において最も厚くなるのが好ましい。
【００２８】
中間部材４は、上述のように第１部材４ａおよび第２部材４ｂがいずれも本体部２や高比重部材５よりも比重が小さい材料で構成されているため、全体として本体部２や高比重部材５よりも比重が小さい。中間部材４を凹部３に固定したときのフェース面２Ａに垂直な方向における中間部材４の厚みは、たとえば２．５ｍｍ以上１０．５ｍｍ以下である。
【００２９】
高比重部材５は、中間部材４から見て本体部２の反対側に配置されている。高比重部材５は、中間部材４における第２部材４ｂの少なくとも一部と接合されている。言い換えると、高比重部材５は、ゴルフクラブヘッド１においてフェース面２Ａ側から後方に最も離れた位置に形成されている。高比重部材５は、中間部材４においてフェース面２Ａ側と反対側の表面の全体を覆うように形成されていてもよいが、中間部材４の上記表面においてソール部６側に位置する領域上に形成されていてもよい。高比重部材５は、ゴルフクラブヘッド１をフェース面２Ａの反対側から見たときに、凹部３の少なくとも一部と重なるように設けられている。
【００３０】
高比重部材５は、任意の形状を有していればよく、たとえば板状部材が屈曲した構造を有している。高比重部材５は、フェース面２Ａ側に位置して中間部材４と接続する面と、その反対側に位置して表出している面とがたとえば平行に設けられていてもよい。
【００３１】
高比重部材５は、中間部材４と比べて比重が大きい。高比重部材５を構成する材料は、中間部材４よりも比重が大きい材料であり、たとえばステンレス鋼（ＳＵＳ)であり、好ましくはステンテス鋼帯（ＳＵＳ３０４ＣＳＰ）である。高比重部材５の厚みは、たとえば０．３ｍｍ以上０．５ｍｍ以下である。なお、高比重部材５の比重は、本体部２の比重と同等程度であればよい。本体部２の比重と高比重部材５の比重とが略同じ比重を採る限りにおいて、高比重部材５の比重は本体部２の比重よりもわずかに小さくてもよいし、わずかに大きくてもよい。
【００３２】
本体部２、中間部材４、および高比重部材５は、中空部分を有さずに一体として形成されている。すなわち、ゴルフクラブヘッド１の内部（本体部２、中間部材４、および高比重部材５の各内部）は、中空部分を有しておらず、密な構造を有している。
【００３３】
本体部２と中間部材４との間、および中間部材４と高比重部材５の間は、本体部２と中間部材４と高比重部材５とが１つのゴルフクラブヘッド１として打球時においても脱離等起こさない限りにおいて、それぞれ任意の方法により接続されていればよい。本体部２と中間部材４とは、たとえば圧入により接続されているのが好ましい。具体的には、本体部２の凹部３の寸法よりも大きく、凹部３の平面形状と相似する平面形状を有する第１部材４ａを凹部３内に圧入することにより、本体部２と第１部材４ａとは接続されていているのが好ましい。このとき、本体部２を加熱して熱膨張させている状態でその凹部３に第１部材４ａを配置し、その後本体部２を冷却して熱収縮させることにより、本体部２の凹部３内に第１部材４ａを圧入させることができる。このようにすれば、本体部２と中間部材４との接合強度を高めることができる。
【００３４】
第１部材４ａと第２部材４ｂとは両面テープにより接合されていてもよい。また、第２部材４ｂと高比重部材５とは両面テープにより接合されていてもよい。このとき、第１部材４ａと第２部材４ｂとの接合界面は、第２部材４ｂと高比重部材５との接合界面よりもフェース面２Ａに近く変位量が大きいため、第１部材４ａと第２部材４ｂとの接合に用いる両面テープには、第２部材４ｂと高比重部材５との接合に用いる両面テープよりも高い強度が求められる。そのため、たとえば第１部材４ａと第２部材４ｂとの接合に用いる両面テープは、第２部材４ｂと高比重部材５との接合に用いる両面テープの厚みよりも厚くてもよい。
【００３５】
次に、本実施の形態に係るゴルフクラブヘッド１の作用効果について説明する。ゴルフクラブヘッド１は、フェース面２Ａと、フェース面２Ａの裏側に形成されている凹部３とを有する本体部２と、凹部３内に配置されており、第１部材４ａと第２部材４ｂとを含み、本体部２と比べて比重が小さい中間部材４と、中間部材４から見て本体部２の反対側に配置されており、中間部材４と比べて比重が大きい高比重部材５とを備える。
【００３６】
このようにすれば、本体部２、中間部材４、および高比重部材５が接続されることにより構成されているゴルフクラブヘッド１の打球部の厚みを厚くすることができる。これにより、打球時に生じるヘッドのたわみを軽減させて打球音を小さくすることができ、ゴルフクラブヘッド１の打球感を向上させることができる。
【００３７】
このとき、中間部材４が本体部２よりも低比重の材料で構成されているため、ゴルフクラブヘッド１の厚肉化に伴うゴルフクラブヘッド１の質量増加を抑えることができる。この結果、ゴルフクラブヘッド１は慣性モーメントの低下が抑制されている。
【００３８】
また、中間部材４に対し、比重の高い材料からなる高比重部材５がフェース面２Ａから最も離れた位置に設けられているため、ゴルフクラブヘッド１の重心深度（ゴルフクラブヘッド１の重心からフェース面２Ａまでの距離）を深くすることができる。その結果、中間部材４を含まない従来のゴルフクラブヘッドと比べて、慣性モーメントを大きくすることができる。ここで、ゴルフクラブヘッド１の慣性モーメントは、ゴルフクラブヘッド１の重心を通る鉛直方向に延びる線を軸としたときの慣性モーメントと、ゴルフクラブヘッド１の重心を通る水平方向に延びる線を軸としたときの慣性モーメントをいう。これにより、ゴルフクラブヘッドのスイートスポットを外して打撃した場合、スイートスポットから打点がずれることでゴルフクラブヘッド１が重心を中心として回転するが、ゴルフクラブヘッド１の慣性モーメントを高めることができるので、ゴルフクラブヘッド１の回転を抑制することができる。その結果、打球方向や飛距離について高い安定性を実現することができる。
【００３９】
また、中間部材４が第１部材４ａと第２部材４ｂとで構成されているため、任意の材料を組み合わせることにより様々な特性を有する中間部材４を得ることができる。たとえば、フェース面２Ａに近接して本体部２に接続される第１部材４ａが、その接続法などにより材料が限定される場合にも、第２部材４ｂを第１部材４ａよりもさらに低比重な材料で構成することにより、中間部材４全体としてより低比重とすることができる。
【００４０】
好ましくは、第１部材４ａは金属材料により構成されており、第２部材４ｂは樹脂材料により構成されている。そのため、本体部２や高比重部材５よりも低比重とすることができるので慣性モーメントを大きくすることができる。
【００４１】
また、凹部３は、フェース面２Ａ側から見てフェース面２Ａの打撃位置ＨＰと重なる領域に形成されていることにより、打球時においてたわみの大きい打撃位置ＨＰと重なる領域を厚肉化することができるため、より効果的に打球感を向上させることができる。
【００４２】
また、中間部材４において、第１部材４ａは本体部２と接合されており、第２部材４ｂは高比重部材５と接合されている。つまり、第１部材４ａと第２部材４ｂとは、フェース面２Ａに垂直な方向において積層するように構成されているのが好ましい。そのため、フェース面２Ａ内での打球特性のばらつきを抑制することができる。
【００４３】
また、ヒール部１ｈからトゥ部１ｔに向かう方向において、第１部材４ａの中央部４ａｃの厚みが第１部材４ａにおける中央部４ａｃ以外の部分（ヒール部１ｈ側やトゥ部１ｔ側に位置する部分）の厚みより相対的に厚くなるように設けられており、第１部材４ａの中央部４ａｃがフェース面２Ａの打撃位置ＨＰと重なるように設けられている。これにより、ヒール部１ｈからトゥ部１ｔに向かう方向において打球時のたわみが大きい打撃位置ＨＰ（中央部１ｃ）のたわみを効果的に抑制することができ、打球音を小さくすることができる。
【００４４】
第１部材４ａと第２部材４ｂとの間、および中間部材４と高比重部材５の間は、それぞれ接着剤を介して接合されていてもよい。
【００４５】
また、本体部２、中間部材４、および高比重部材５は、中空部分を有さずに連続的に積層されている。このため、内部に中空部分を有しているゴルフクラブヘッドと比べて、ゴルフクラブヘッドのたわみを効果的に抑制することができる。その結果、ゴルフクラブヘッド１によれば打球感を効果的に向上させることができる。
【００４６】
本実施の形態に係るゴルフクラブはゴルフクラブヘッド１を備えるため、打球感の向上を効果的に実現しつつ、慣性モーメントの低下を抑えることができる。
【００４７】
本実施の形態に係る中間部材４において、第１部材４ａは本体部２と接合されており、第２部材４ｂは高比重部材５と接合されているがこれに限られるものではない。
【００４８】
図４を参照して、たとえば第２部材４ｂが本体部２と接合されており、第１部材４ａが高比重部材５と接合されていてもよい。言い換えると、ゴルフクラブヘッド１は、フェース面２Ａに垂直な方向において、フェース面２Ａ側から第２部材４ｂ、第１部材４ａ、および高比重部材５の順で中空部分を有さずに積層された構成を有していてもよい。この場合には、本体部２よりも低比重の材料で構成されている中間部材４が本体部２に接続されていることにより、ゴルフクラブヘッド１の慣性モーメントをさらに大きくすることができ、重心深度もさらに深くすることができる。
【００４９】
また、図５を参照して、ゴルフクラブヘッド１において、凹部３は本体部２においてソール部６側からトップエッジ部７側に向かって延びるように形成されており、中間部材４がソール部６側から凹部３の内部に埋め込まれていてもよい。このとき、本体部２は、フェース面２Ａと凹部３との間に位置するフェース側本体部２１と、フェース面２Ａ側から見て凹部３の後方に位置するバック側本体部２２とを含んでいる。
【００５０】
この場合には、重心深度と慣性モーメントの観点よりすると、フェース側本体部２１の厚みが、バック側本体部２２の厚みよりも薄く設けられているのが好ましい。このようなゴルフクラブヘッド１は、フェース面２Ａに垂直な方向において、フェース面２Ａ側から、フェース側本体部２１、第１部材４ａ、第２部材４ｂ、およびバック側本体部２２が中空部分を有さずに積層した４層構成を有している。そのため、上述したゴルフクラブヘッド１と同様に、第２部材４ｂの比重＜第１部材４ａの比重との関係を満たし、かつフェース側本体部２１の比重とバック側本体部２２の比重とを略同一とすることができる。その結果、ゴルフクラブヘッド１の打球感を向上させることができ、かつゴルフクラブヘッド１の慣性モーメントを大きくすることができる。
【００５１】
さらに、図６を参照して、ゴルフクラブヘッド１において、凹部３に代わって本体部２の内部に閉じている閉空間である空孔部８が形成されており、中間部材４とは空孔部８内に埋め込まれていてもよい。この場合にも、重心深度と慣性モーメントの観点よりすると、フェース面２Ａと凹部３との間に位置するフェース側本体部２１の厚みが、フェース面２Ａ側から見て凹部３の後方に位置するバック側本体部２２の厚みよりも薄く設けられているのが好ましい。このようなゴルフクラブヘッド１は、フェース面２Ａに垂直な方向において、フェース面２Ａ側から、フェース側本体部２１、第１部材４ａ、第２部材４ｂ、およびバック側本体部２２が中空部分を有さずに積層した４層構成を有している。そのため、上述したゴルフクラブヘッド１と同様に、第２部材４ｂの比重＜第１部材４ａの比重との関係を満たし、かつフェース側本体部２１とバック側本体部２２の比重を略同一とすることができる。その結果、ゴルフクラブヘッド１の打球感を向上させることができ、かつゴルフクラブヘッド１の慣性モーメントを大きくすることができる。なお、図６に示すゴルフクラブヘッド１は、図５に示すゴルフクラブヘッド１と比べて、ソール部６に対して中間部材４が設けられている位置がトップエッジ部７側に離れているため、本体部２が占める領域の体積がソール部６の近傍では大きくトップエッジ部７の近傍では小さい。そのため、図６に示すゴルフクラブヘッド１の重心位置は図５に示すゴルフクラブヘッド１の重心位置よりもソール部６側に低く配置することができる。
【００５２】
図６に示すゴルフクラブヘッド１は、たとえばヒール部１ｈ側またはトゥ部１ｔ側の側面から本体部２に穴を開け、当該穴に中間部材４を挿入した後、当該穴の開口部を別部材によって閉じることにより形成され得る。
【００５３】
以上のように本発明の実施の形態について説明を行なったが、上述の実施の形態を様々に変形することも可能である。また、本発明の範囲は上述の実施の形態に限定されるものではない。本発明の範囲は、特許請求の範囲によって示され、特許請求の範囲と均等の意味および範囲内でのすべての変更を含むことが意図される。
【符号の説明】
【００５４】
１  ゴルフクラブヘッド、１ｃ  中央部、１ｈ  ヒール部、１ｔ  トゥ部、２  本体部、２Ａ  フェース面、３  凹部、３Ａ  底面、３Ｂ  側面、４  中間部材、４ａ  第１部材、４ｂ  第２部材、５  高比重部材、６  ソール部、７  トップエッジ部、８  空孔部、２０  シャフト、２１  フェース側本体部、２２  バック側本体部。
【図１】
2015188615.tif 000003
【図２】
2015188615.tif 000004
【図３】
2015188615.tif 000005
【図４】
2015188615.tif 000006
【図５】
2015188615.tif 000007
【図６】
2015188615.tif 000008